(57)【特許請求の範囲】
【請求項１】
重複領域を有する複数の画像の合成画像を表示する表示手段と、
前記表示手段に表示された合成画像の修正の指示がなされたか否かを判定する判定手段と、
前記判定手段により合成画像の修正の指示がなされたと判定された場合、複数のつなぎ目を表示するよう前記表示手段を制御する表示制御手段と、
前記複数のつなぎ目の中から修正するつなぎ目を指定する指定手段と、
前記指定されたつなぎ目で接合されている各画像間の相対位置を指定する相対位置指定手段と、
前記相対位置指定手段により指定された相対位置に基づいて画像の再合成を行う再合成手段と
を備えることを特徴とする画像処理装置。
【請求項２】
前記相対位置指定手段は、前記指定されたつなぎ目で接合されている各画像間の相対位置を入力することによって、前記指定されたつなぎ目で接合されている各画像間の相対位置を指定することを特徴とする請求項１記載の画像処理装置。
【請求項３】
前記相対位置指定手段は、前記指定されたつなぎ目で接合されている各画像を個別に前記表示手段の画面上で移動させる画像移動機能を有し、該画像移動機能により各画像を移動させて重ね合わせることによって、前記指定されたつなぎ目で接合されている各画像間の相対位置を指定することを特徴とする請求項２記載の画像処理装置。
【請求項４】
前記相対位置指定手段は、前記指定されたつなぎ目で接合されている各画像に対してそれぞれ対応する位置を入力する対応位置入力機能を有し、該対応位置入力機能により前記各画像の対応位置を入力することによって、前記指定されたつなぎ目で接合されている各画像間の相対位置を指定することを特徴とする請求項２記載の画像処理装置。
【請求項５】
前記相対位置指定手段は、前記指定されたつなぎ目で接合されている各画像を個別に前記表示手段の画面上で移動させて重ね合わせることによって、前記指定されたつなぎ目で接合される各画像間の相対位置を指定する第１の相対位置指定機能と、前記指定されたつなぎ目で接合されている各画像に対してそれぞれ重ね合せる位置を指定することによって、前記指定されたつなぎ目で接合されている各画像間の相対位置を指定する第２の相対位置指定機能とを有し、前記第１の相対位置指定機能と前記第２の相対位置指定機能とを任意に選択可能であることを特徴とする請求項２記載の画像処理装置。
【請求項６】
前記表示制御手段は、前記合成画像上におけるつなぎ目を囲む枠を該合成画像に重ね合せて前記表示手段に表示するように制御することを特徴とする請求項１ないし５のいずれか１つに記載の画像処理装置。
【請求項７】
前記合成画像を修正する際に該修正に関する操作方法を説明する説明文とアニメーションの内の少なくとも１つを前記表示手段に表示する操作支援手段を備えることを特徴とする請求項１ないし６のいずれか１つに記載の画像処理装置。
【請求項８】
重複領域を有する複数の画像の合成画像を表示手段に表示する表示工程と、
前記表示手段に表示された合成画像の修正の指示がなされたか否かを判定する判定工程と、
前記判定手段により合成画像の修正の指示がなされたと判定された場合、複数のつなぎ目を表示するよう前記表示手段を制御する表示制御工程と、
前記複数のつなぎ目の中から修正するつなぎ目を指定する指定工程と、
前記指定されたつなぎ目で接合されている各画像間の相対位置を指定する相対位置指定工程と、
前記相対位置指定工程で指定された相対位置に基づいて画像の再合成を行う再合成工程と
を有することを特徴とする画像処理方法。
【請求項９】
前記相対位置指定工程では、前記指定されたつなぎ目で接合されている各画像間の相対位置を入力することによって、前記指定されたつなぎ目で接合されている各画像間の相対位置を指定することを特徴とする請求項８記載の画像処理方法。
【請求項１０】
前記相対位置指定工程では、前記指定されたつなぎ目で接合されている各画像を個別に前記表示手段の画面上で移動させて重ね合わせることによって、前記指定されたつなぎ目で接合されている各画像間の相対位置を指定することを特徴とする請求項９記載の画像処理方法。
【請求項１１】
前記相対位置指定工程では、前記指定されたつなぎ目で接合されている各画像に対してそれぞれ対応する位置を入力することによって、前記指定されたつなぎ目で接合されている各画像間の相対位置を指定することを特徴とする請求項９記載の画像処理方法。
【請求項１２】
前記指定されたつなぎ目で接合されている各画像を個別に前記表示手段の画面上で移動させて重ね合わせることによって、前記指定されたつなぎ目で接合される各画像間の相対位置を指定する第１の相対位置指定機能と、前記指定されたつなぎ目で接合されている各画像に対してそれぞれ重ね合せる位置を入力することによって、前記指定されたつなぎ目で接合されている各画像間の相対位置を指定する第２の相対位置指定機能とのうちのいずれか１つの相対位置指定機能を選択する相対位置指定機能選択工程を有し、
前記相対位置指定工程では、前記相対位置指定機能選択工程で選択された相対位置位置機能により、前記指定されたつなぎ目で接合されている各画像間の相対位置を指定することを特徴とする請求項９記載の画像処理方法。
【請求項１３】
前記表示制御工程では、前記合成画像上におけるつなぎ目を囲む枠を該合成画像に重ね合せて前記表示手段に表示するように制御することを特徴とする請求項８ないし１２のいずれか１つに記載の画像処理方法。
【請求項１４】
前記合成画像を修正する際に該修正に関する操作方法を説明する説明文とアニメーションの内の少なくとも１つを前記表示手段に表示する操作支援工程を有することを特徴とする請求項８ないし１３のいずれか１つに記載の画像処理方法。
【請求項１５】
画像処理システムを情報処理装置上に構築するためのプログラムをコンピュータ読み取り可能に格納した記憶媒体において、
前記プログラムは、
重複領域を有する複数の画像の合成画像を表示手段に表示する第１の表示制御モジュールと、
前記表示手段に表示された合成画像の修正の指示がなされたか否かを判定する判定モジュールと、
前記判定モジュールにより合成画像の修正の指示がなされたと判定された場合、複数のつなぎ目を表示するよう前記表示手段を制御する第２の表示制御モジュールと、
前記複数のつなぎ目の中から修正するつなぎ目を指定する指定モジュールと、
前記指定されたつなぎ目で接合されている各画像間の相対位置を指定する相対位置指定モジュールと、
前記相対位置指定モジュールにより指定された相対位置に基づいて画像の再合成を行う再合成モジュールと
を有することを特徴とする記憶媒体。
【請求項１６】
前記相対位置指定モジュールは、前記指定されたつなぎ目で接合されている各画像間の相対位置を入力することによって、前記指定されたつなぎ目で接合されている各画像間の相対位置を指定することを特徴とする請求項１５記載の記憶媒体。
【請求項１７】
前記相対位置指定モジュールは、前記指定されたつなぎ目で接合されている各画像を個別に前記表示手段の画面上で移動させて重ね合わせることによって、前記指定されたつなぎ目で接合されている各画像間の相対位置を指定することを特徴とする請求項１６記載の記憶媒体。
【請求項１８】
前記相対位置指定モジュールは、前記指定されたつなぎ目で接合されている各画像に対してそれぞれ対応する位置を入力することによって、前記指定されたつなぎ目で接合されている各画像間の相対位置を指定することを特徴とする請求項１６記載の記憶媒体。
【請求項１９】
前記相対位置指定モジュールは、前記指定されたつなぎ目で接合されている各画像を個別に前記表示手段の画面上で移動させて重ね合わせることによって、前記指定されたつなぎ目で接合される各画像間の相対位置を指定する第１の相対位置指定機能と、前記指定されたつなぎ目で接合されている各画像に対してそれぞれ重ね合せる位置を入力することによって、前記指定されたつなぎ目で接合されている各画像間の相対位置を指定する第２の相対位置指定機能とを有し、前記第１の相対位置指定機能と前記第２の相対位置指定機能とを任意に選択可能であることを特徴とする請求項１６記載の記憶媒体。
【請求項２０】
前記第２の表示制御モジュールは、前記合成画像上におけるつなぎ目を囲む枠を該合成画像に重ね合せて前記表示手段に表示するように制御することを特徴とする請求項１５ないし１９のいずれか１つに記載の記憶媒体。
【請求項２１】
前記プログラムは、前記合成画像を修正する際に該修正に関する操作方法を説明する説明文とアニメーションの内の少なくとも１つを前記表示手段に表示する操作支援モジュールを有することを特徴とする請求項１５ないし２０のいずれか１つに記載の記憶媒体。
【発明の詳細な説明】
【０００１】
【発明の属する技術分野】
本発明は、複数の画像を合成するための画像処理装置、画像処理方法および記憶媒体に関する。
【０００２】
【従来の技術】
従来、デジタルカメラなどで分割して撮影された各画像をパーソナルコンピュータ（以下、ＰＣという）に取り込み、各画像を合成して１つのパノラマ画像を作成することが可能な画像合成ソフトウェアがある。
【０００３】
【発明が解決しようとする課題】
重複領域を有する複数の画像を接合して合成したとき、得られた合成画像は一部分にずれが発生した画像になる場合がある。このような場合、従来の画像合成ソフトウェアでは、各画像を合成した後にその合成画像を修正することができないから、ずれのない合成画像を得るためには、再度各画像を取り込んで合成をやり直す必要があり、合成のやり直しに手間が掛り、面倒である。
【０００４】
本発明の目的は、手間を掛けずに、画像の合成のやり直しを簡単に行うことができる画像処理装置、画像処理方法および記憶媒体を提供することにある。
【０００５】
【課題を解決するための手段】
本発明は、上記目的を達成するため、重複領域を有する複数の画像の合成画像を表示する表示手段と、前記表示手段に表示された合成画像の修正の指示がなされたか否かを判定する判定手段と、前記判定手段により合成画像の修正の指示がなされたと判定された場合、複数のつなぎ目を表示するよう前記表示手段を制御する表示制御手段と、前記複数のつなぎ目の中から修正するつなぎ目を指定する指定手段と、前記指定されたつなぎ目で接合されている各画像間の相対位置を指定する相対位置指定手段と、前記相対位置指定手段により指定された相対位置に基づいて画像の再合成を行う再合成手段とを備えることを特徴とする画像処理装置を提供する。
【０００６】
また、本発明は、上記目的を達成するため、重複領域を有する複数の画像の合成画像を表示手段に表示する表示工程と、前記表示手段に表示された合成画像の修正の指示がなされたか否かを判定する判定工程と、前記判定手段により合成画像の修正の指示がなされたと判定された場合、複数のつなぎ目を表示するよう前記表示手段を制御する表示制御工程と、前記複数のつなぎ目の中から修正するつなぎ目を指定する指定工程と、前記指定されたつなぎ目で接合されている各画像間の相対位置を指定する相対位置指定工程と、前記相対位置指定工程で指定された相対位置に基づいて画像の再合成を行う再合成工程とを有することを特徴とする画像処理方法を提供する。
【０００７】
また、本発明は、上記目的を達成するため、画像処理システムを情報処理装置上に構築するためのプログラムをコンピュータ読み取り可能に格納した記憶媒体において、前記プログラムは、重複領域を有する複数の画像の合成画像を表示手段に表示する第１の表示制御モジュールと、前記表示手段に表示された合成画像の修正の指示がなされたか否かを判定する判定モジュールと、前記判定モジュールにより合成画像の修正の指示がなされたと判定された場合、複数のつなぎ目を表示するよう前記表示手段を制御する第２の表示制御モジュールと、前記複数のつなぎ目の中から修正するつなぎ目を指定する指定モジュールと、前記指定されたつなぎ目で接合されている各画像間の相対位置を指定する相対位置指定モジュールと、前記相対位置指定モジュールにより指定された相対位置に基づいて画像の再合成を行う再合成モジュールとを有することを特徴とする記憶媒体を提供する。
【００３２】
【発明の実施の形態】
以下に、本発明の実施の形態について図を参照しながら説明する。
【００３３】
図１は本発明の画像処理装置の実施の一形態を構成するパーソナルコンピュータの外観構成図、図２は図１のパーソナルコンピュータ上に構成される画像合成システムの構成を示すブロック図である。
【００３４】
画像処理装置を構成するためのパーソナルコンピュータ（以下、ＰＣという）は、図１に示すように、ＰＣ本体１０１、ディスプレイ１０２、マウスボタン１０４が設けられているマウス１０３、およびキーボード１０５を備える。
【００３５】
このパーソナルコンピュータは、図２に示すように、ハードウェア２０６、ハードウェア２０６上で動作するオペレーティングシステム（以下、ＯＳという）２０２、およびＯＳ２０２上で動作するアプリケーションソフトウェア２０１からなる。
【００３６】
ハードウェア２０６は、キーボード１０５とのインターフェースを司るキーボードインターフェース２０７、マウス１０３とのインターフェースを司るマウスインターフェース２０９、ディスプレイ１０２とのインタフェースを司るビデオインターフェース２１０、ハードディスク２１２とのインターフェースを司るディスクＩ／Ｏインターフェース２１１、ＣＰＵ（図示せず）などを含む。
【００３７】
ＯＳ２０２は、入力デバイス管理システム２０３、描画管理ステム２０４およびファイルシステムを含む。入力デバイス管理システム２０３は、キーボードインターフェース２０７を介してキーボード１０５からの入力、およびマウスインターフェース２０９を介してマウス１０３からの入力をを受け取り、この受け取った入力をアプリケーションソフトウェア２０１の画像合成システム２１５に送出する。描画管理システム２０４は画像合成システム２１５からの画像データを受け取り、この受け取った画像データをビデオインターフェース２１０を介してディスプレイ１０２に送出する。ファイルシステム２０５はディスクＩ／Ｏインターフェース２１１を介してハードディスク２１２のデータの読み書きを行い、読み込んだデータを画像合成システム２１５に送出する。
【００３８】
アプリケーションソフトウェア２０１は、上述した画像合成システム２１５を構築するためのソフトウェアであり、このソフトウェアによって構築される画像合成システム２１５は、ハードディスク２１２から読み込んだ複数の画像を合成するための各種画像処理を行う画像処理手段２１６と、合成した画像をディスプレイ１０２に表示するための画像表示手段２１７とを含む。画像処理手段２１６は、合成画像を修正する機能を有し、この機能では、マウス１０３またはキーボード１０５の操作入力に基づきディスプレイ２１２に表示された合成画像におけるつなぎ目部分を指定し、この指定されたつなぎ目部分で互いに接合する各画像の合成をやり直して合成画像を修正する。また、画像表示手段２１７は、合成画像を修正する際に合成画像におけるつなぎ目部分を枠で囲んでディスプレイ１０２に表示するように制御する。
【００３９】
次に、画像合成システム２１５による動作について図３ないし図８を参照しながら説明する。図３は図２の画像合成システム２１５による動作の手順を示すフローチャート、図４は図３のステップＳ３０４の合成画像における各画像のつなぎ目の表示例を示す図、図５は図３のステップＳ３０５の指定されたつなぎ目で接合される各画像の表示ウィンドウの一例を示す図、図６は図３のステップＳ３０５で選択可能な第１の相対位置指定処理の内容を示す概念図、図７は図３のステップＳ３０５で選択可能な第２の相対位置指定処理の内容を示す概念図、図８は図５における操作支援ウィンドウの切換状態を示す図である。
【００４０】
画像合成システム２１５では、図３に示すように、まずステップＳ３０１において、ユーザによる合成する画像の選択およびその配置の指定を入力する。ここで、合成する画像は予めデジタルカメラで分割して撮影された画像であり、この画像はハードディスク２１２に格納されている。よって、ユーザはハードディスク２１２に格納されている画像の中から合成する複数の画像を選択し、選択した各画像の配置を指定する。
【００４１】
次いで、ステップＳ３０２に進み、画像処理手段２１６でユーザにより指定された配置に基づき選択された各画像を合成し、画像表示手段２１７によりその合成画像をディスプレイ１０２に表示する。
【００４２】
続くステップＳ３０３では、ユーザの指示に基づきディスプレイ１０２に表示された合成画像を修正するか否かを判定する。ここで、ユーザは、ディスプレイ１０２に表示された合成画像を見てその合成結果が満足するものであるか否かを確認する。合成画像の一部にずれや間違いがあってこの合成画像が満足するものでない場合、ユーザはその一部を修正するための修正指示を出す。この修正指示が出されると、画像合成システム２１５は合成画像の修正を行うと判断してステップＳ３０４に進み、ユーザにより合成画像の修正指示が出されないときには、本処理を終了する。
【００４３】
ステップＳ３０４では、ディスプレイ１０２に表示された合成画像における各画像のつなぎ目を特定可能なように表示する。例えば、図４に示すように、合成画像における各画像のつなぎ目を囲む枠をこの合成画像に重ね合せて表示する。本例では、３つの画像４０５，４０６，４０７を合成することによって得られた合成画像４０２がウィンドウ４０１に表示されており、この合成画像４０２における各画像４０５，４０６，４０７のつなぎ目４０３，４０４が枠で囲まれて表示されている。つなぎ目４０３は画像４０５と画像４０６とのつなぎ目であり、つなぎ目４０４は画像４０６と画像４０７とのつなぎ目である。ここで、各画像を合成する際には、通常、各画像の境界線が目立たないように、各画像のつなぎ目部分における画素を重み付けして平均化する処理が施されている。
【００４４】
次いで、ステップＳ３０５に進み、ユーザによるつなぎ目の指定を入力し、この入力されたつなぎ目の指定に基づき対応するつなぎ目で接合されている各画像をウィンドウに表示する。例えば、図４に示すウィンドウ４０１に表示された合成画像４０２のつなぎ目４０３においてずれが生じていた場合、このつなぎ目４０３がユーザのマウス１０３またはキーボード１０５の操作により指定される。このつなぎ目４０３が指定されると、図５に示すように、つなぎ目４０３で接合されている各画像５０７，５０８（図４の画像４０５，４０６に相当）がウィンドウ５０９に表示される。
【００４５】
このウィンドウ５０９には、指定されたつなぎ目４０３におけるずれを修正するための方式を切り換えるためのボタン５０３，５０４、表示されている各画像の合成開始時を指示するボタン（ＯＫボタン）５０５および合成を行わずにウィンドウ５０９を閉じるためのボタン（Cancelボタン）５０９が含まれている。ここで、ボタン５０３は、マウス１０３またはキーボード１０５の操作により表示された互いに接合する各画像５０７，５０８を個別に画面上で移動させて重ね合わせる処理を選択するためのボタンであり、この処理がボタン５０３の操作により選択すると、各画像５０７，５０８を個別に画面上で移動させて重ね合わせることによって各画像５０７，５０８間の相対位置を指定することが可能になる。このボタン５０３による処理が選択されると、例えば図６に示すように、画像５０７，５０８の一方に対して他方を移動させて各画像５０７，５０８をその相対位置が適正になるように重ね合せ、この相対置関係が適正な重ね合わせ状態が得られると、ボタン５０５を押下する。これにより各画像５０７，５０８間の相対位置が指定されて各画像５０７，５０８の合成開始が指示される。このように、簡単な操作で各画像間の位置合わせを行うことができる。
【００４６】
これに対し、ボタン５０４は、マウス１０３またはキーボード１０５の操作により各画像５０７，５０８に対してそれぞれ対応する複数の位置を指定する処理を選択するためのボタンであり、この処理がボタン５０４の操作により選択すると、各画像５０７，５０８に対してそれぞれ対応する複数の位置を指定することによって各画像５０７，５０８間の相対位置を指定することが可能になる。このボタン５０４による処理が選択されると、例えば図７に示すように、各画像５０７，５０８のそれぞれに対して重ね合わせる位置がマウス１０３またはキーボード１０５の操作により指定される。ここでは、画像５０７に対して位置７０１が指定され、この位置７０１に対応する画像５０８上の位置として位置７０２が指定される。また同様に、画像５０７に対して位置７０３が指定され、この位置７０３に対応する画像５０８上の位置として位置７０４が指定される。このように指定された位置７０１〜７０４は、本例にように「×」で表すことが可能である。なお、この位置を表す記号は「×」に限定されることはなく、他の記号例えば「○」で表してよいことはいうまでもない。また、本例では、各画像における２箇所の位置を指定しているが、２箇所以上の位置を指定してもよい。このように、本処理では、各画像間の位置合わせをより正確に行うことができるとともに、画像の少なくとも一方が回転している場合においては、上記ボタン５０４により選択される処理に比して位置合わせをより正確に行うことができる。適正な位置指定が行われると、ボタン５０５を押下する。これにより各画像５０７，５０８間の相対位置が指定されて各画像５０７，５０８の合成開始が指示される。
【００４７】
また、ウィンドウ５０９には、操作支援ウィンドウ５０１が含まれている。この操作支援ウィンドウ５０１には、各ボタン５０３，５０４により選択される処理における操作方法の説明文およびその操作方法を表すアニメーション５０２が表示される。本例では、ボタン５０３が選択されているから、このボタン５０３で選択される処理における操作説明文およびその操作方法を表すアニメーションが表示されている。これに対し、ボタン５０４が選択されると、図８に示すように、操作支援ウィンドウ５０１はボタン５０４により選択される処理に対応する操作支援ウィンドウ８０１に切り換えられる。この操作支援ウィンドウ８０１には、ボタン５０４で選択される処理における操作説明文およびその操作方法を表すアニメーション８０２が表示される。
【００４８】
このようにして指定されたつなぎ目で接合する各画像間の相対位置の指定が行われると、ステップＳ３０６に進み、指定された各画像間の相対位置を入力し、入力した相対位置に基づき指定されたつなぎ目で接合する各画像の合成をやり直し、その結果得られた合成画像をディスプレイ１０２に表示する。
【００４９】
次いで、ステップＳ３０７に進み、ユーザの指示に基づきディスプレイ１０２に表示された修正後の合成画像を再度修正するか否かを判定する。ここで、ユーザは、ディスプレイ１０２に表示された修正後の合成画像を見てその合成結果が満足するものであるか否かを確認する。この修正後の合成画像においてもその一部にずれや間違いがあってこの合成画像が満足するものでない場合、ユーザはその一部を修正するための修正指示を出す。この修正指示が出されると、画像合成システム２１５は再度合成画像の修正を行うと判断して上記ステップＳ３０４に戻り、つなぎ目を表示し、ユーザにより修正後の合成画像が満足するものであり、その修正指示が出されないときには、本処理を終了する。
【００５０】
このように、本実施の形態では、ディスプレイ２１２に表示された合成画像を見てそのつなぎ目にずれなど発生していることを確認した場合には、そのずれが発生しているつなぎ目をマウス１０３またはキーボード１０５の操作により指定することによって、この指定されたつなぎ目で接合する各画像の合成を自動的にやり直して合成画像を修正するから、手間を掛けずに、画像の合成のやり直しを簡単に行うことができる。
【００５１】
また、合成画像に修正を行う際には、合成画像におけるつなぎ目を枠で囲んで表示するから、対応するつなぎ目の指定を正確かつ簡単に行うことができる。
【００５２】
さらに、指定されたつなぎ目で接合する各画像間の相対位置を指定するための処理を各画像の相対位置状態に応じて選択することができ、各画像間の相対位置合わせを正確かつ容易に行うことが可能である。
【００５３】
さらに、指定されたつなぎ目で接合する各画像間の相対位置を指定するための処理に関する操作方法を表示するから、ユーザの操作を支援することができ、操作環境の向上を図ることができる。
【００５４】
なお、本実施の形態では、各ブロックを同一の装置上で構成した例を示したが、ネットワーク上に分散したコンピュータや処理装置を用いて各部を構成することも可能である。
【００５５】
また、本実施の形態では、画像処理装置をパーソナルコンピュータを用いて構成した例を示したが、専用の画像処理装置を構成することも可能である。
【００５６】
さらに、ソフトウェアにより実行する処理をハードウェア回路で実行するように構成してもよい。
【００５７】
以上説明したように、本発明の画像処理装置、画像処理方法および記憶媒体によれば、重複領域を有する複数の画像の合成画像を表示し、表示手段に表示された合成画像の修正の指示がなされたか否かを判定し、合成画像の修正の指示がなされたと判定された場合、複数のつなぎ目を表示し、複数のつなぎ目の中から修正するつなぎ目を指定し、指定されたつなぎ目で接合されている各画像間の相対位置を指定し、指定された相対位置に基づいて画像の再合成を行うので、合成処理を始めからやり直すことなく、手間を掛けずに合成画像の修正を簡単に行うことができる。
【００５９】
また、指定されたつなぎ目で接合されている各画像間の相対位置を入力することによって、指定されたつなぎ目で接合されている各画像間の相対位置を指定するので、指定されたつなぎ目部分で接合される各画像間の相対位置指定を容易に行うことができる。
【００６０】
さらに、指定されたつなぎ目で接合されている各画像を個別に表示手段の画面上で移動させて重ね合わせることによって、指定されたつなぎ目で接合されている各画像間の相対位置を指定するから、指定されたつなぎ目で接合される各画像間の相対位置合わせを容易に行うことができる。
【００６１】
さらに、指定されたつなぎ目部分で互いに接合する各画像に対してそれぞれ対応する位置を入力することによって、指定されたつなぎ目部分で互いに接合する各画像間の相対位置を指定するから、指定されたつなぎ目で接合される各画像間の相対位置合わせを正確かつ容易に行うことができる。
【００６２】
さらに、第１の相対位置指定機能と、第２の相対位置指定機能とのうち、いずれか１つの相対位置指定機能を選択可能にすることによって、指定されたつなぎ目で接合される各画像間の相対位置合わせを正確かつ容易に行うことができる。
【００６３】
さらに、合成画像上におけるつなぎ目を特定可能に表示手段に表示することによって、つなぎ目の指定を容易にすることができる。
【００６４】
さらに、合成画像を修正する際に該修正に関する操作方法を説明する説明文とアニメーションの内の少なくとも１つを表示手段に表示することによって、ユーザによる合成画像の修正に関する操作を支援することができ、操作環境の向上を図ることができる。
【００７７】
さらに、入力モジュールは、指定されたつなぎ目部分の互いに接合する各画像に対してそれぞれ対応する位置を入力する対応位置入力機能を有し、該対応位置入力機能により各画像の対応位置を入力することによって指定されたつなぎ目部分の互いに接合する各画像間の相対位置を入力することによって、各画像間の相対位置合わせを正確かつ容易に行うことができる。
【００８０】
【発明の効果】
以上説明したように、本発明によれば、手間を掛けずに、合成画像の修正を簡単に行うことができる。
【図面の簡単な説明】
【図１】本発明の画像処理装置の実施の一形態を構成するパーソナルコンピュータの外観構成図である。
【図２】図１のパーソナルコンピュータ上に構成される画像合成システムの構成を示すブロック図である。
【図３】図２の画像合成システム２１５による動作の手順を示すフローチャートである。
【図４】図３のステップＳ３０４の合成画像における各画像のつなぎ目の表示例を示す図である。
【図５】図３のステップＳ３０５の指定されたつなぎ目で接合される各画像の表示ウィンドウの一例を示す図である。
【図６】図３のステップＳ３０５で選択可能な第１の相対位置指定処理の内容を示す概念図である。
【図７】図３のステップＳ３０５で選択可能な第２の相対位置指定処理の内容を示す概念図である。
【図８】図５における操作支援ウィンドウの切換状態を示す図である。
【符号の説明】
１０１  ＰＣ本体
１０２  ディスプレイ
１０３  マウス
１０４  マウスボタン
１０５  キーボード
２０１  アプリケーションソフトウェア
２０２  オペレーティングシステム
２０６  ハードウェア
２１２  ハードディスク
２１５  画像合成システム
２１６  画像処理手段
２１７  画像表示手段
【図１】
0004143228.tif 000002
【図２】
0004143228.tif 000003
【図３】
0004143228.tif 000004
【図４】
0004143228.tif 000005
【図５】
0004143228.tif 000006
【図６】
0004143228.tif 000007
【図７】
0004143228.tif 000008
【図８】
0004143228.tif 000009